(57)【要約】【課題】乳幼児、介護、介助される人の使用する食器の転倒を防止し、使用者、介助者の負担を軽減させる。立食パーティ用など携帯性を考慮した製品の提供。【解決手段】食器の糸底の切り欠き部一対を、トレーの立ち上がり部に押し込み強制力と復帰力を作用させ、嵌合係止させる構成にした。トレーの立ち上がり部が媒体となり、弾性変形で強制力を吸収し復帰力を作用させることで係止力を維持する構成とした。【選択図】  図２４
2004154500.tif 000002
【特許請求の範囲】
【請求項１】
適宜の厚みと高さで成形した板状の立ち上がり部を有するトレーと、
糸底に、上記立ち上がり部の厚さより広い幅で設定した適宜の傾斜角度を有する切り欠き部２箇所で一対となる切り欠き部を、少なくとも一対を成形した食器で構成され、
上記トレーの立ち上がり部に、上記食器の切り欠き部一対を押し込み、嵌合係止し、着脱自在に構成された食器セット。
【請求項２】
上記立ち上がり部の厚さより広い幅で、糸底の外周部と内周部を結ぶ適宜の角度に成形した切り欠き部を、少なくとも一対を成形した食器からなる、請求項１記載の食器セット。
【請求項３】
トレーの適宜の位置に中仕切り部を少なくとも一箇所成形し、仕切られた一方を食物載置用、もう一方に上記立ち上がり部を成形し、食器兼用トレーとする、請求項１または２記載の食器セット。
【発明の詳細な説明】
【０００１】
【発明の属する技術分野】
本発明は、乳幼児、運動能力が低下した人、要介護者、介護者、および、立食パーティなどの際に使用する食器セットに関する。
【０００２】
【従来の技術】
介護、シルバー分野で提供されている食器類は、トレーの表面及び底面に滑り止め加工した物、転倒防止を目的とした物、スプーンを使用する際に食物をすくいやすく工夫した食器が知られている。
【０００３】
実開平７−１４９７７は、トレーに突起部分を設けて食器の底部に嵌入する構成でトレー側の所定の位置でしか使用できない。
【０００４】
特開２００２−６５４４０は食器１個に対して保持具１個で対応している。
【０００５】
特開２０００−１３９６５９は吸盤を利用する構成が前提である。
【０００６】
既存の食器の糸底にも切り欠き部があるが、水切りの目的と成形上の都合であり、本発明が意図した傾斜角度を有するものはない。
さらに、茶道具などの茶碗の高台の切り欠き部も意匠であり機能ではない。
【０００７】
したがって、利用者の使い勝手および自由度の高い食器拘止具は開発されていない。
【０００８】
【発明が解決しようとする課題】
本発明は、乳幼児、運動能力が低下した人、介護を要する人などが食事を取る際に、トレーの上に置いた食器が移動、転倒して食器の中の食物が散乱しない様にする事であり、本人、世話をする人の負担を軽減することを目的とする。
【０００９】
さらに、立食パーティなどの際に、料理用の皿と飲み物用のグラスで両手が塞がるため、間の抜けたスタイルになり、くつろげないのが現状である。したがって、片手で保持できるトレーとグラス等の構成が望まれている。
【００１０】
【課題を解決するための手段】
本発明は上記目的を達成するために、トレーの表面に、直線または曲線などで立ち上がり部を形成する。
【００１１】
立ち上がり部の数量、長さ、高さ、厚さ、形状などは、食器の機能、数量などにより適宜に成形する。
水切り等を成形する際は、立ち上がり部の一部を切り欠き加工しても良い。
さらに、着脱式でも良い。
【０００１２】
中仕切り部は複数成形してもよい。
【００１３】
食器の糸底部分に、適宜の傾斜角度を有する切り欠き部２箇所で一対の切り欠き部を成形するが、複数対の切り欠き部を成形しても差し支えない。
【００１４】
一対毎の切り欠き部は同じ傾斜角度であるが、複数対の切り込みを成形する場合は、一対目と異なる傾斜角度でもよい。
【００１５】
糸底の切り欠き部の幅は、立ち上がり部の厚みより大きくする。
【００１６】
糸底の切り込みの高さは立ち上がり部の高さより低く成形するのが好ましい。結果、糸底の下端面がトレーの表面に接するので食器が安定するが、若干であれば高くても差し支えない。
【００１７】
糸底の形は丸形のみにこだわらない、楕円形、角形、多角形などでもよい。
【００１８】
糸底の切り欠き部の幅、厚み、高さ、および、トレーの立ち上がり部の厚み、高さは、使用素材の弾性を考慮して適宜変更する。
【００１９】
上記の解決手段による作用は、トレーの板状の立ち上がり部に、食器の糸底の切り欠き部分を押し込み嵌合係止する際に、  糸底の切り欠き部の一方を押し込む際は遊びがある状態で嵌合されるが、もう一方を押し込む際に、立ち上がり部を媒体にして一箇所目と二箇所目の傾斜角度は逆の角度になるので、若干の強制力が生じるが、立ち上がり部の若干の弾性変形で強制力を吸収しながら押し込み嵌合され、立ち上がり部の復帰力が作用し立ち上がり部を媒体にして係止状態が維持される。
【００２０】
したがって、糸底の切り口と、トレーの立ち上がり部の接点に、強制力と復帰力が作用して嵌合係止状態が維持される。
【００２１】
【発明の実施の形態】
以下、本発明の実施の形態を図面にしたがって説明する。
図１はトレー１を示す図であり、前記トレー１は適宜の位置に食器を嵌合係止するための立ち上がり部３が複数成形されている。
【００２２】
図５は食器の側面図であり糸底１３の切り欠き部１４を正面に配置した図である前記切り欠き部１４が一対の場合では反対側の側面図も同じ図である。
図６．７は食器の一例を示す側面図
【００２３】
図８．９．１０は食器の底面図の一例である。図１１は切り欠き部１４を複数成形している。切り欠き部１４ａは中央に成形しているが、切り欠き部１４ｂのように芯からずれていても可能であり、糸底１３の形にとらわれないで良い。
【００２４】
図１２は図５と逆の傾斜角度の例であり、反対側の切り欠き部１４を点線で示している。一対の切り欠き部１４は、片方の切り欠き部１４からもう一方の切り欠き部１４を見ると傾斜角度が逆になる。この構成が強制力を作用させるのである。
【００２５】
図１３．１４において立ち上がり部３と切り欠き部１４が嵌合係止される状態を示している。立ち上がり部３の厚みより切り欠き部１４の幅が広く構成されているので、嵌合する際には切り欠き上部１５と立ち上がり上部２４の接触点３１と、切り欠き下部１６と立ち上がり下部２５の接触点３１の２箇所の該接触点３１は若干の狭幅に構成されている。
【００２６】
したがって、接触点３１に発生する強制力を立ち上がり部３の弾性変形力が吸収しながら復帰力が作用して嵌合係止状態が維持される。
【００２７】
つまり、切り欠き部１４の一対の内、一箇所のみが嵌合された場合は、立ち上がり部３に糸底１３の傾斜角度を沿わせれば遊びのある状態であるが、もう一箇所を嵌合させることで接触点３１に強制力が発生するが、立ち上がり部３が弾性変形しながら嵌合され、さらに復帰力の作用によって係止状態が維持される。
【００２８】
図１７の鳥瞰図で示したように、立ち上がり部３が一対の切り欠き部１４に嵌合されると、立ち上がり部側面２６が切り欠き部１４の傾斜角度に合わせて弾性変形することで、強制力を吸収し復帰力を作用させるのである。
【００２９】
図１８から２３は請求項２の図面である。
図１８．１９は食器の側面図で切り欠き部１４は一対で左右対称になる。
【００３０】
図２０は嵌合係止状態の説明図である。
図２１は底面図であり糸底の切り欠き部１４の説明図である。係止作用に必要な適宜の厚さで成形した糸底１３の外周１９と内周１８を結ぶ適宜の角度を成形する。
【００３１】
図２２は糸底１３に立ち上がり部３が嵌合係止した図である。
糸底１３の切り欠き部の幅は、立ち上がり部３の厚みより大きい
接触点３１ａ２箇所は立ち上がり部３が嵌合された場合、若干の狭幅に構成されている。３１ｂ２箇所も同じ構成である。
嵌合する際に、４箇所の接触点３１が立ち上がり部３に対して強制力が発生するが、前記立ち上がり部３の弾性変形で強制力を吸収し、該弾性変形の復帰力が作用し係止状態を維持する。
【００３２】
つまり、立ち上がり部３が媒体になり強制力と復帰力を作用させるのである。
【００３３】
図３．４は請求項３の図面である。
図３はトレーに中仕切り部４を成形している。
【００３４】
図２５において、中仕切り部４を成形することで、食器を嵌合係止するスペースと食物を載せるスペースが一体になり、携帯性が良い。
【００３５】
以上のような構成であるので、トレーの立ち上がり部の厚み、糸底の切り欠き部の幅と傾斜角度を適宜調整することで、
合成樹脂成形品、ステンレス、アルミニウム等の金属製品、木製品、陶磁器品、セラミックス製品、耐熱ガラス製品、紙製品などの成形が可能である。
【００３６】
陶磁器製、耐熱ガラス製品等必要とされる場合は、比較的硬度の低いシリコン樹脂などで立ち上がり部をカバーすると好ましい。
【００３７】
さらに、積み重ねる、係止する、連結する機能を有しているので、収納性、利便性、携帯性などが高まる用途にも利用できる。
【００３８】
また、本発明は以上の実施例に限定されるものではなく、立ち上がり部および切り欠き部の形状など、適宜設計変更できるものである。
【００３９】
【発明の効果】
上述したように本発明は、食器を押さえなくても食器の転倒を心配しなくて済むので、乳幼児及び要介護者を世話する人の片手が自由になり、負担を軽減できる。
【００４０】
手指の運動能力の低下した人も、食器が安定した状態にあるので、介助なしで食事が出来る。
使用者の任意の位置に食器を係止できるので自由度が高い。
【００４１】
請求項３は立食パーティ会場など以外に、競技場観客飲食用、航空機、汽車、船舶、車両などの飲食サービスに利用できる他、携帯性を考慮した製品に利用できる。
【００４２】
さらに、本発明の食器は糸底の切り欠き部の傾斜以外は、市販されている食器と同じ様体のため、単独使用できるので安価で供給できる。
【図面の簡単な説明】
【図１】本発明のトレーの平面図
【図２】同トレーの側面図
【図３】請求項２の食器兼用トレーの平面図
【図４】同食器兼用トレーの側面図
【図５】請求項１の食器の側面図
【図６】同食器の側面図
【図７】同食器の側面図
【図８】同食器の底面図
【図９】同食器の底面図
【図１０】同食器の底面図
【図１１】同食器の底面図
【図１２】図５と逆の傾斜角度の食器の側面部分透視図
【図１３】図１２の食器をトレーに押し込む際の部分断面図
【図１４】同嵌合係止状態の部分断面図
【図１５】図１４の側面図、部分透視図、部分断面図
【図１６】同糸底の鳥瞰図
【図１７】図１６図にトレーの立ち上がり部が嵌合係止した鳥瞰図
【図１８】請求項２の食器の側面図
【図１９】同反対面の側面図
【図２０】図１９にトレーの立ち上がり部が嵌合係止した部分断面図
【図２１】同食器の底面図
【図２２】図２１にトレーの立ち上がり部が嵌合係止した底面図
【図２３】図２２の斜視図
【図２４】図１に食器が嵌合係止した斜視図
【図２５】図３に食器が嵌合係止した斜視図
【符号の説明】
１  トレー本体
２  トレー縁部
３  トレー立ち上がり部
４  トレー中仕切り部
５  食物載置面
１１  食物収納部
１２  食器本体
１３  糸底
１４  切り欠き部
１５  切り欠き部上部
１６  切り欠き部下部
１７  糸底下端面
１８  糸底内周部
１９  糸底外周部
２０  食器本体底部
２１  トレー上面
２２  トレー下面
２４  立ち上がり部上部
２５  立ち上がり部下部
２６  立ち上がり部側面
３１  接触点
【図１】
2004154500.tif 000003
【図２】
2004154500.tif 000004
【図３】
2004154500.tif 000005
【図４】
2004154500.tif 000006
【図５】
2004154500.tif 000007
【図６】
2004154500.tif 000008
【図７】
2004154500.tif 000009
【図８】
2004154500.tif 000010
【図９】
2004154500.tif 000011
【図１０】
2004154500.tif 000012
【図１１】
2004154500.tif 000013
【図１２】
2004154500.tif 000014
【図１３】
2004154500.tif 000015
【図１４】
2004154500.tif 000016
【図１５】
2004154500.tif 000017
【図１６】
2004154500.tif 000018
【図１７】
2004154500.tif 000019
【図１８】
2004154500.tif 000020
【図１９】
2004154500.tif 000021
【図２０】
2004154500.tif 000022
【図２１】
2004154500.tif 000023
【図２２】
2004154500.tif 000024
【図２３】
2004154500.tif 000025
【図２４】
2004154500.tif 000026
【図２５】
2004154500.tif 000027